【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
プロセッサ及びメモリを含む処理装置と、入力装置と、表示器及びカイロプラクティッ
ク用治療器具を含む出力装置とを含み、
前記表示器は複数の指標を表示するように適合されており、
前記治療器具はセンサーを含み、
前記メモリはその内部に記憶された複数の治療プロトコルを有し、前記複数の治療プロト
コルの少なくとも一部の各治療プロトコルは前記複数の指標の中の少なくとも第１の指標
と関係されており、
前記複数の指標の中から指標に関する選択入力を決定すべく応答して、前記プロセッサは
、前記複数の治療プロトコルの中の前記指標と関係された治療プロトコルを前記メモリか
ら読み出して前記治療プロトコルの少なくとも一部の少なくとも部分を表す出力を前記表
示器に出力するように適合されており、
前記プロセッサと前記治療器具とは、互いに接続されており、また前記治療器具のセンサ
ーによって検出される所定の入力に応答して、前記プロセッサは前記治療プロトコルの少
なくとも一部にしたがって作動すべく前記治療器具を作動させるように適合されている、
治療装置。
【請求項２】
前記治療器具はいくつかの作動パラメータにしたがって作動し、少なくとも１つの作動
パラメータは調整可能であり、前記プロセッサは前記治療プロトコルの少なくとも一部に
したがって前記治療器具の前記少なくとも１つの作動パラメータを調整するように適合さ
れている、請求項１に記載の治療装置。
【請求項３】
前記作動パラメータの少なくとも１つは、周波数、持続時間及び強度の少なくとも１つ
を含む、請求項２に記載の治療装置。
【請求項４】
所定の入力に応答して、前記プロセッサは、前記所定入力の少なくとも一部にしたがっ
て、前記治療プロトコルを無効にして、前記治療器具の前記少なくとも１つの作動パラメ
ータを調整する、請求項２に記載の治療装置。
【請求項５】
前記治療プロトコルはいくつかの治療箇所を含み、いくつかの治療箇所の少なくとも一
部の各治療箇所は治療器具の作動が発生すべきプロトコルにより特定される受容者の部分
であり、前記出力はいくつかの治療箇所の少なくとも一部の視覚描写を含む、請求項１に
記載の治療装置。
【請求項６】
前記出力はいくつかの治療箇所の複数の治療箇所の描写を含み、前記出力は、さらに、
現在の治療箇所として複数の治療箇所の少なくとも１つの治療箇所の同定を含む、請求項
５に記載の治療装置。
【請求項７】
前記複数の治療箇所の少なくとも一部の各治療箇所は第１の色で表示され、前記少なく
とも１つの治療箇所の同定は第１の色と異なる第２の色での前記少なくとも１つの治療箇
所の描写を含む、請求項６に記載の治療装置。
【請求項８】
前記プロセッサは、前記治療器具の作動の所定の入力指示を決定するように適合されて
おり、また前記所定の入力の検出に応答して、複数の治療箇所の他の治療箇所の同定を現
在の治療箇所として前記表示器に出力するように適合されている、請求項６に記載の治療
装置。
【請求項９】
前記出力は、前記複数の治療箇所の治療器具の連続する順序の治療箇所の視覚描写を含
む、請求項６に記載の治療装置。
【請求項１０】
前記出力装置は、複数の同定済み解剖箇所を複数の指標として表示するように適合され
ている、請求項１に記載の治療装置。
【請求項１１】
前記出力装置は複数の解剖の種類を出力するように適合されており、前記複数の解剖の
種類の一部は前記複数の解剖箇所に関係されており、前記表示器は少なくとも第１の解剖
の種類と、いくつかの解剖箇所であってそれらの間の関係を描写する仕方でそれと共に関
係された解剖箇所とを出力するように適合されている、請求項１０に記載に治療装置。
【請求項１２】
前記治療器具は複数の適用部材を含み、前記治療プロトコルは前記複数の適用部材の中
の所定の適用部材の説明を含み、前記出力は前記所定の適用部材の可視描写を含む、請求
項１に記載の治療装置。
【請求項１３】
前記入力装置は前記表示器の近くに配置されたタッチ式感知オーバーレイを含み、該タ
ッチ式感知オーバーレイは前記標識が描写される表示器の場所に対応するタッチ式感知オ
ーバーレイの位置でタッチ入力を検出することにより前記標識に対する選択入力を検出す
るように適合されている、請求項１に記載の治療装置。
【請求項１４】
複数の治療プロトコルが内部に記憶されたメモリを備える処理装置と、入力装置と、表
示器及びセンサーを含むカイロプラクティック用治療器具を備える出力装置とを備える治
療装置の前記治療器具のいくつかの適用を方向付ける方法であって、
複数の標識を前記表示器に出力し、
前記複数の標識の標識に関する選択入力を検出し、
前記複数の治療プロトコルの中のその標識に対応する治療プロトコルをメモリから読み出
し、前記治療プロトコルはいくつかの治療箇所を含み、いくつかの治療箇所の少なくとも
一部の各治療箇所は前記治療器具の作動が発生すべきプロトコルにより特定される受容者
の一部であり、所定の入力を検出し、
前記処理プロトコルの少なくとも第１の部分を含む出力を前記表示器に出力することを含
む、方法。
【請求項１５】
さらに、前記治療器具のためにいくつかの作動パラメータ設定値を前記プロトコルから
取得し、前記いくつかの作動パラメータ設定値の少なくとも第１の作動パラメータ設定値
を出力することを含む、請求項１４に記載の方法。
【請求項１６】
さらに、所定の入力を検出し、所定の入力を検出したことに応答して、前記少なくとも
第１の作動パラメータ設定値にしたがって治療器具の作動を開始させることを含む、請求
項１５に記載の方法。
【請求項１７】
さらに、前記少なくとも第１の作動パラメータ設定値に関する無効入力であって前記第
１の作動パラメータ設定値のための交換値を表す無効入力を検出し、所定の入力を検出し
、所定の入力の検出に応答して、前記交換値にしたがって治療器具の作動を開始させるこ
とを含む、請求項１５に記載の方法。
【請求項１８】
さらに、いくつかの可視描写の複数の治療箇所を前記治療プロトコルの少なくとも第１
の部分として出力し、前記複数の治療箇所の少なくとも１つの治療箇所を現在の治療箇所
として同定することを含む、請求項１４に記載の方法。
【請求項１９】
さらに、前記複数の治療箇所の連続順序の可視描写を出力することを含む、請求項１８
に記載の方法。
【請求項２０】
さらに、前記複数の治療箇所の少なくとも一部の各治療箇所を第１の色で同定し、該第
１の色と異なる第２の色で現在の治療箇所を同定することを含む、請求項１８に記載の方
法。
【請求項２１】
さらに、治療器具の作動の所定の入力指示を検出し、前記治療器具の作動の所定入力指
示の検出に応答して、前記複数の治療箇所の他の治療箇所の同定を現在の治療箇所として
前記表示器に出力することを含む、請求項１８に記載の方法。
【請求項２２】
さらに、複数の同定済み解剖箇所を前記複数の標識として表示することを含む、請求項
１４に記載の方法。
【請求項２３】
さらに、複数の解剖の種類であってそれらの少なくとも一部の各解剖の種類が前記複数
の解剖箇所のいくつかの解剖箇所と関係された複数の解剖の種類を出力し、前記複数の解
剖の種類の少なくとも一部の第１の解剖の種類とそれらと関係するいくつかの解剖箇所と
の間の関係の描写を出力することを含む、請求項２２に記載の方法。
【請求項２４】
前記治療器具は複数の適用部材を含み、前記治療プロトコルは前記複数の適用部材の中
の所定の適用部材の説明を含み、当該方法は、さらに、前記所定の適用部材の可視描写を
出力することを含む、請求項１４に記載の方法。
【請求項２５】
前記入力装置は、前記表示器の近くに配置されたタッチ式感知オーバーレイを含み、当
該方法は、さらに、前記指標が描写される前記表示器の場所に対応するタッチ式感知オー
バーレイの場所でのタッチ入力を選択入力として検出することを含む、請求項１４に記載
の方法。
【請求項２６】
処理装置と、入力装置と、表示器及びセンサーを含むカイロプラクティック用治療器具
を備える出力装置とを含む治療装置で遂行されるとき、作動を実行させる命令を提供する
、機械的読み出し可能の媒体であって、前記作動は、
複数の使用を前記表示器に表示し、
前記複数の指標の指標に関する選択入力を検出し、
複数の処理プロトコルの中のいくつかの治療プロトコルを含みかつ前記標識に対応された
治療プロトコルをメモリから読み出し、いくつかの治療箇所の少なくとも一部の各治療箇
所が、発生すべきプロトコルにより治療器具の作動が特定される受容者の一部であり、
前記治療箇所の少なくとも第１の部分を含む出力を前記表示器に出力し、
前記治療器具のセンサーによって検出された所定の入力に応答して、前記治療器具を起動
させるすることを含む、媒体。
【請求項２７】
前記作動は、さらに、前記治療器具のためのいくつかの作動パラメータ設定値を前記プ
ロトコルから得て、前記いくつかの作動パラメータ設定値の少なくとも第１の作動パラメ
ータ設定値を出力することを含む、請求項２６に記載の媒体。
【請求項２８】
前記作動は、さらに、所定の入力を検出し、前記所定の入力の検出に応答して、少なく
とも第１の作動パラメータ設定値にしたがって前記治療器具の作動を開始させることを含
む、請求項２７に記載の媒体。
【請求項２９】
前記作動は、さらに、前記少なくとも第１の作動パラメータ設定値に関する無効入力で
あって前記第１の作動パラメータ設定値のための交換値を表す無効入力を検出し、所定の
入力を検出し、所定の入力の検出に応答して、前記交換値にしたがって前記治療器具の作
動を開始させることを含む、請求項２７に記載の媒体。
【請求項３０】
前記作動は、さらに、前記いくつかの治療箇所の複数の治療箇所の可視描写を前記治療
プロトコルの前記少なくとも第１の部分として出力し、前記複数の治療箇所の少なくとも
１つを現在の治療箇所として出力することを含む、請求項２６に記載の媒体。
【請求項３１】
前記作動は、さらに、前記複数の治療箇所の連続順序の可視描写を出力することを含む
、請求項３０に記載の媒体。
【請求項３２】
前記作動は、さらに、第１の色で前記複数の治療箇所の少なくとも一部の各治療箇所を
同定し、第１の色と異なる第２の色において現在の治療箇所を同定することを含む、請求
項３０に記載の媒体。
【請求項３３】
前記作動は、さらに、前記治療器具の作動の所定の入力指示を検出し、前記治療器具の
作動の所定の入力指示の検出に応答して、前記複数の治療箇所の他の治療箇所の同定を現
在の治療箇所として前記表示器に出力することを含む、請求項３０に記載の媒体。
【請求項３４】
前記作動は、さらに、複数の同定済みの解剖箇所の前記複数の指標として表示すること
を含む請求項２６に記載の媒体。
【請求項３５】
前記作動は、さらに、複数の解剖の種類であってそれらの少なくとも一部の各解剖の種
類が前記複数の解剖箇所いくつかの解剖箇所と関係された複数の解剖の種類を出力し、前
記複数の解剖の種類の少なくとも一部とそれらに関係するいくつかの解剖箇所との間の関
係の描写を出力することを含む、請求項３４に記載の媒体。
【請求項３６】
前記作動は、さらに、前記治療器具の複数の適用部材の中の所定の適用部材の可視描写
を出力することを含み、前記治療プロトコルは所定の適用部材を含む、請求項２６に記載
の媒体。
【請求項３７】
前記作動は、さらに、前記指標が描写される前記表示器の位置と対応する前記入力装置
のタッチ式感知オーバーレイの位置でのタッチ入力を選択入力として検出することを含む
、請求項２６に記載の媒体。